(57)【要約】【課題】  施工が簡単で施工費用が安価につくとともに、上記通気受材を用いる事無く簡易施工で外壁内部に溜まった結露水を有効に外壁下方へ水抜き可能とする外壁構造を提供する。【解決手段】  木質構造材と、その木質構造材の上に設けられる外壁パネル２とを備えて構成される外壁構造１であって、外壁下部の外壁パネル２と土台７との間に水抜き部材Ｍを設ける。また、その水抜き部材Ｍの下方に水抜きスペ−スＣを形成する。壁体内部に溜まった結露水や濾水Ｋは、水抜き部材Ｍを通して極めて簡単に外壁下方へ排出される。【選択図】    図３
2005282046.tif 000002
【特許請求の範囲】
【請求項１】
木質構造材と、該木質構造材の上に設けられる外壁パネルとを備えて構成される外壁構造であって、
少なくとも外壁下部に位置する前記外壁パネルの裏面と横架材としての土台との間に、結露水や濾水を通す水抜き部材を設けるとともに、該水抜き部材の下方に水抜きスペースを形成する
ことを特徴とする外壁構造。
【請求項２】
請求項１に記載の外壁構造において、
前記水抜き部材を、和紙、板紙、不織布、発泡合成樹脂シ−トから選択した１〜４種の単体又は複合体で構成されるシ−ト体とする
ことを特徴とする外壁構造。
【請求項３】
請求項２に記載の外壁構造において、
前記シ−ト体に透湿性樹脂を施す
ことを特徴とする外壁構造。
【請求項４】
請求項２又は請求項３に記載の外壁構造において、
前記シ−ト体に、ネット又は前記結露水や濾水を通す通路を有する部材を複合させる
ことを特徴とする外壁構造。
【請求項５】
請求項１に記載の外壁構造において、
前記水抜き部材を、ネット又は前記結露水や濾水を通す通路を有する部材単体で構成する
ことを特徴とする外壁構造。
【発明の詳細な説明】
【技術分野】
【０００１】
本発明は、外壁内部の湿気及び結露水、濾水等の水抜きに有効な外壁構造に関する。
【背景技術】
【０００２】
従来、木造住宅の外壁においては、通常、柱、間柱等の縦方向の構造材及び胴差、軒桁、胴縁、土台等の横方向の構造材としての横架材の上にラス板、合板パネル等の下地パネルを張り付け、又は下地パネルを省略し、その上に防水透湿シートで覆い、その上に下地パネルを張り付け、その上にモルタル仕上げを行ったり、サイディング等の外壁パネルを直接張り付け施工する工法が行われてきた。しかし、近年、住宅における高気密高断熱化が進む中で、外壁の壁体内部では、縦方向の柱、間柱と、横方向の胴差、軒桁、胴縁、土台等の横架材によって壁体内部の空気の流れが阻害され、壁体内部の結露発生が問題点になっていた。そこで、縦方向の柱、間柱等に木材ムクからなる従来の縦通気受材を取り付け、これらにより横方向の胴差、軒桁、胴縁、土台等の横架材に木材ムクからなる従来の横通気受材を取り付け、壁体内部の通気路を確保することで壁体内部の結露を防止するといった、いわゆる通気構法が行われてきた。しかしながら、結露防止効果といった点においては効果があったが、このような木材ムクからなる通気受材からなる従来の通気構法では、通気受材自体の強度が弱く、壁体としての強度低下といった問題点があった。そこで、構造用合板等の木質積層材からなる耐久性のある通気受材が用いられるようになってきた（例えば、特許文献１参照。）。
【特許文献１】特開２００２−１９４８２９号公報（第３−７頁、第１−２図）
【発明の開示】
【発明が解決しようとする課題】
【０００３】
しかしながら、従来技術における通気構法においては、構造用合板からなる通気受材を用いるので、外壁構造としての壁体強度は向上するが、柱、間柱等の縦方向の構造材の上に縦通気受材を取り付け、横方向の、胴差、軒桁、胴縁、土台等の横架材の上に横通気受材を取り付け、さらに、縦及び横方向の通気受材の間に通気路が確保されるようにして、所定箇所に取り付けなければならず、施工者に熟練工が必要で、施工手間がかかり、施工費が高くつくといった問題点があった。
【０００４】
また、縦及び横通気受材を取り付けるためには、長さ５０〜６５ｍｍ程度の釘を釘ピッチ１５０〜３００ｍｍ程度にして、かなりきめ細かく釘着する必要があり、この点からも施工性の改善が望まれていた。
【０００５】
ところで、従来、高い費用をかけてまで上記通気構法を施す余裕のある住宅は極めて少なかった。すなわち、通気構法が施されていない通常の施工方法が多く採用されてきた。このような、従来からの通気構法を施さない住宅の外壁内部においては、上記したように、近年の住宅の高気密高断熱化によって、また、まわりからの湿気や湿度に対する環境の悪い土地に建てられた住宅においては、時に、壁体内部に結露水や濾水が溜まり、その結露水や濾水が壁体外へ抜けきらず、壁体内部の腐朽の原因となり、住宅の長期耐久性に影響を与えていた。
【０００６】
本発明は、上述した事情に鑑みてなされるもので、施工が簡単で施工費用が安価につくとともに、上記通気受材を用いる事無く簡易施工で外壁内部に溜まった結露水を有効に外壁下方へ水抜き可能とする外壁構造を提供することを課題とする。
【課題を解決するための手段】
【０００７】
上記課題を解決するためなされた請求項１記載の本発明の外壁構造は、木質構造材と、該木質構造材の上に設けられる外壁パネルとを備えて構成される外壁構造であって、少なくとも外壁下部に位置する前記外壁パネルの裏面と横架材としての土台との間に、結露水や濾水を通す水抜き部材を設けるとともに、該水抜き部材の下方に水抜きスペースを形成することを特徴としている。
【０００８】
このような特徴を有する本発明によれば、外壁パネルと横架材、具体的には外壁下部の土台との間に水抜き部材が設けられ、また、水抜きスペースが確保される。従って、壁体内部に溜まった結露水や濾水が水抜き部材を通して極めて簡単に外壁下方へ排出される。しかも、水抜き部材が外壁パネル下部と土台との間に設けるだけのものであるので、施工が簡単で施工費用も極めて安価に済む。尚、横架材としては土台の他に、胴差、胴縁等がありこれらに対しても水抜き部材を取り付けることが可能であるものとする。
【０００９】
請求項２記載の本発明の外壁構造は、請求項１に記載の外壁構造において、前記水抜き部材を、和紙、板紙、不織布、発泡合成樹脂シートから選択した１〜４種の単体又は複合体で構成されるシート体とすることを特徴としている。
【００１０】
このような特徴を有する本発明によれば、耐久性能に優れた水抜き部材になる。壁体内部に溜まった結露水や濾水は、効率よく吸水され、そして、吸水された結露水や濾水は、シート体を通して壁体外部に効率よく蒸散される。壁体内部の結露水や濾水は、極めて簡単に且つ有効に、しかも長期にわたって安定して外部へ排出される。
【００１１】
請求項３記載の本発明の外壁構造は、請求項２に記載の外壁構造において、前記シート体に透湿性樹脂を施すことを特徴としている。
【００１２】
このような特徴を有する本発明によれば、耐水性能が向上する。従って、長期にわたり安定した結露水や濾水排出効果が期待される。
【００１３】
請求項４記載の本発明の外壁構造は、請求項２又は請求項３に記載の外壁構造において、前記シート体に、ネット又は前記結露水や濾水を通す通路を有する部材を複合させることを特徴としている。
【００１４】
このような特徴を有する本発明によれば、外壁下部の外壁パネルと土台との間に水抜きスペースが十分に確保される。和紙、板紙、不織布、発泡合成樹脂シート等の吸水放湿作用がより一層効果的に行われる。外壁内部に溜まった結露水や濾水の水抜き機能にとって一層好適になる。
【００１５】
請求項５記載の本発明の外壁構造は、請求項１に記載の外壁構造において、前記水抜き部材を、ネット又は前記結露水や濾水を通す通路を有する部材単体で構成することを特徴としている。
【００１６】
このような特徴を有する本発明によれば、極めて簡単に精度良く水抜きスペースが形成される。水抜き部材そのもののコストが安価になり経済効果が大きくなる。
【発明の効果】
【００１７】
請求項１に記載された本発明によれば、外壁下部の外壁パネルと土台との間に水抜き部材を設け、その下方に水抜きスペースを確保するので、壁体内部に溜まった結露水や濾水を極めて簡単に外壁下方へ排出することができるという効果を奏する。しかも外壁パネル下部と土台との間に水抜き部材を設けるだけであるので、施工が簡単で施工費用も極めて安価に済むという効果を奏する。
【００１８】
請求項２に記載された本発明によれば、壁体内部に溜まった結露水や濾水を和紙、板紙、不織布、発泡合成樹脂シートから選択した１種〜４種から構成される単体又は複合体からなるシート体で吸水し、そして、吸水された結露水や濾水を水抜き部材を通して壁体外部に蒸散させるので、壁体内部の結露水や濾水を極めて簡単に且つ有効に、しかも長期にわたり安定して外部へ排出することができるという効果を奏する。
【００１９】
請求項３に記載された本発明によれば、シート体に透湿性樹脂を施しているので、その透湿性樹脂の働きにより和紙、板紙、不織布、発泡合成樹脂シート等の耐水性能を向上させ、長期にわたり安定した結露水や濾水の排出効果を期待することができるという効果を奏する。
【００２０】
請求項４に記載された本発明によれば、シート体とネット等とを複合させて水抜き部材を構成しているので、外壁パネル下方と土台との間にネット等による水抜きスペースを十分に確保することができる。従って、和紙、板紙、不織布、発泡合成樹脂シートの吸水放湿作用をより一層効果的に行うことができるという効果を奏する。また、外壁内部に溜まった結露水や濾水の水抜き機能を一層好適にすることができるという効果を奏する。
【００２１】
請求項５に記載された本発明によれば、水抜き部材をネット等の単体とし、外壁パネルと土台との間に水抜きスペースを形成するように構成しているので、壁体内部に溜まった結露水や濾水を、ネット等によって形成した外壁パネルと土台との間の水抜き部材を通じて、水抜きスペースから外部へ排出することができるという効果を奏する。しかも、水抜き部材をネット等の単体から構成しているので、極めて簡単に精度良く、水抜きスペースを形成することができるという効果を奏する。さらに、水抜き部材そのもののコストを安価にして経済効果を高めることができるという効果を奏する。
【発明を実施するための最良の形態】
【００２２】
以下、図面を参照しながら説明する。
図１は本発明の外壁構造の一実施形態を示す正面図、図２は図１におけるＡ−Ａ線断面図である。図３は図２のＡ部における要部拡大図である。図４は本発明の水抜き部材の詳細図であり、（イ）は平面図、（ロ）は側面図である。
【００２３】
図１には、木造軸組み工法における構造躯体に本発明の外壁構造を実施した形態が示されている。本例においては、木造軸組み工法の例で説明するが、これに限るものではないものとする。すなわち、枠組み壁工法（ツーバイフォー工法）、木質系プレハブ工法等木質系構造の他、鉄骨系構造にも応用できるものとする。
【００２４】
本発明の外壁構造１を構成する柱３は、図１に示されるように、約一間（約１８００ｍｍ）ピッチで垂直方向に設けられている。また、柱３間には、約１．５尺（約４５０ｍｍ）間隔で三本の間柱６が垂直方向に設けられている。一方、水平方向に取り付けられる横架材としては、胴差５と胴縁６と下部の土台７とが設けられている。以上の木造軸組み材を含んで木造軸組み工法による外壁構造１が構成されている。その構造は一番下の基礎９によって支えられている。
【００２５】
本例では、基礎９と土台７との間に、床下の換気を良くし通気性を確保し、防湿効率を向上させるための、基礎スペーサーＳが設けられている。基礎スペーサーＳは、布基礎切り欠き加工を省略することができるので、施工性を一段と向上させるという利点を有している。基礎スペーサーＳは、複数個の短尺材に分割されており、土台７の下に適当な間隔（およそ１００〜９００ｍｍ前後）をあけて設けられている。すなわち、基礎スペーサーＳ間には、所定の大きさの隙間が形成されている。尚、その隙間が床下の換気を良くし通気性を確保し、防湿効率を向上させる働きをするようになっている。基礎スペーサーＳの材質は、塩ビ樹脂、ポリエチレン樹脂等の合成樹脂成型体が好適に用いられる。
【００２６】
柱３と間柱４の間には、断熱材（図示せず）が装着されている。断熱材は、接着剤またはステープルまたはそれらを併用することにより取り付けられている。このようにして、垂直および水平方向の木造軸組み材によって形成された木造軸組みによる外壁構造１の上には、防水透湿シート８が設けられている。また、防水透湿シート８を介して外壁パネル２が張り付けられている。
【００２７】
下部の土台７と外壁パネル２との間には、本発明の要旨となる水抜き部材Ｍが設けられている。水抜き部材Ｍは、本例で示すように、土台７の長手方向の全長にわたって設けられている（又は、柱３、間柱４の間に短尺の水抜き部材Ｍを適当な間隔で設けてもよい）。水抜き部材Ｍを取り付ける箇所としては、土台７と外壁パネル２の間のみであってもよいし、また、胴差５及び土台７と外壁パネル２の間の二箇所であってもよいものとする。さらに、胴差５、胴縁６、土台７と外壁パネル２との間の三箇所であってもよいものとする。
【００２８】
下地となる木質構造材としては、一例として、栂材、ベイツガ材、スギ材、ヒノキ材、またはこれらの集成材が挙げられる。もちろん、これら以外であってもよいものとする。また、防水透湿シート８としては、例えばデュポン社製の商品名「タイベック」などが好適なものとして挙げられる。防水透湿シート８は湿気を通すが水分は通さないものであって、木造軸組み材の上にステープル（図示せず）等の機械的手段で貼着され、その上に外壁パネル２が釘（図示せず）で固定されている。
【００２９】
図２において、土台７の表面には、水切り板金Ｂが釘、木ネジ（図示せず）等で取り付けられている。また、土台７と基礎９の間には、基礎スペーサーＳが設けられている。基礎スペーサーＳの働き、材質、大きさ等は、上述の通りである。土台７は防腐、防蟻、防虫処理を施すと耐久性能にとって好適である。水切り板金Ｂは、市販の金具が用いられている。外壁パネル２と土台７の間には、水抜き部材Ｍが取り付けられている。外壁パネル２の下端には、水抜きスペースＣが形成されている。
【００３０】
本例では、外壁パネル２として、仕上げモルタルＰで仕上げ塗りを施した湿式の外壁材を用いた例を示しているが、これ以外に乾式のサイディング材を用いてもよいものとする。乾式サイディング材の例としては、窯業系サイディング材、金属系サイディング材、木質系サイディング材等を用いることができるものとする。
【００３１】
図３において、水抜き部材Ｍは、本例に示すように、水切り板金Ｂと外壁パネル２との間に設けられている（又は、水切り板金Ｂと土台７の間に設けられている。いずれであってもよいものとする）。水抜き部材Ｍは、ステープル（図示せず）等の機械的手段で、土台７の表面または外壁パネル２の裏面に取り付けられている。外壁パネル２が窯業系または金属系のもので、ステープルが通用しない場合には、接着的手段を用いればよい。結露水や濾水Ｋの外部への蒸散効率及び水切り板金Ｂの施工性を考慮すると、水抜き部材Ｍは外壁パネル２と水切り板金Ｂの間に設けるのが好適である。
【００３２】
本例では、外壁パネル２の裏面に結露水や濾水Ｋが溜まっている状態を例示している。結露水や濾水Ｋは水抜き部材Ｍに吸収され、外壁パネル２の下端部から水抜き部材Ｍを通して、水抜きスペースＣから、外部下方へ蒸散し、大気中に拡散し、結露水や濾水Ｋを排出させることができる。特に、晴天の比較的湿度の低い日には、結露水や濾水Ｋの外部への蒸散が盛んに行われ、外壁内部の結露水や濾水Ｋが除去される。
【００３３】
図４において、水抜き部材Ｍは、例えば、厚手の和紙、板紙、不織布、発泡合成樹脂シート等からなるものであり、本例では、シート体ＦとネットＮとを複合させた例が示されている。シート体Ｆは、和紙、板紙、不織布、発泡合成樹脂シートから選択される１種〜４種から構成される単体又は複合体からなっている。シート体Ｆは、樹脂加工しないで用いてもよいものとする。また、長期耐久性能を考慮すると、シート体Ｆに透湿性樹脂を施してもよいものとする。樹脂加工によって、耐水性能が向上し、長持ちするので好適である。樹脂を塗布又は含浸加工によって施すか又は、シート体Ｆの両面又は片面に樹脂フィルムをラミネートしてもよい。また、ケイ藻土や木炭粉末等の水分を吸放湿する粉体を透湿性樹脂と組み合わせて用いてもよいし、また、それぞれ単体で用いてもよい。透湿性樹脂としては、例えば、アセテート樹脂等が好適なものとして挙げられる。
【００３４】
シート体Ｆに防腐、防蟻処理を施すと白蟻が原因の食害に対する抵抗性、腐朽菌が原因の腐朽に対する抵抗性が著しく向上するので、長期耐久性能が向上する。防腐剤、防蟻剤の例として、例えば、日本バイエルアクロケム株式会社製の商品名「ハクチサン２０ＷＥ」が好適なものとして挙げることができる。水で約２０倍に希釈し、シート体Ｆにスプレー塗布又は含浸加工するとよい。
【００３５】
シート体Ｆとして、厚手の和紙、板紙、不織布、発泡合成樹脂シートを複合させないで単独で用いる場合、これらの中では、長期耐久性能を考慮すると、発泡合成樹脂シート、不織布等が好適である。
【００３６】
発泡合成樹脂シートとしては、例えば、発泡倍率が約１０〜２０倍程度の連続気泡性のポリエチレン樹脂やウレタン樹脂発泡シートがコスト、入手し易さ、耐久性、結露水、濾水の蒸散性能から考慮して好適なものとして挙げられる。
【００３７】
不織布としては、ポリエステル樹脂等の合成樹脂繊維系不織布以外に天然セルロース繊維系不織布等が好適なものとして用いられる。乾式製法の不織布、湿式製法の不織布を用いることができるが、繊維長の比較的長い長繊維系のものが強度、耐久性能にとって好適である。
【００３８】
厚手の和紙、板紙、不織布、発泡合成樹脂シート等の厚みは、約１〜３ｍｍ程度であり、幅寸法は、土台７の幅寸法が約１００〜１２０ｍｍ前後であるので、約５０〜１２０ｍｍ程度が施工の面で好適である。長さ寸法は、土台７の長さとほぼ等しくするか、又は施工性等を考慮すると、約３００〜４５０ｍｍ程度のものを間隔を適当にあけるか又はあけないで、複数個用いてもよい。
【００３９】
水抜き部材Ｍは、厚手の和紙、板紙、不織布、発泡合成樹脂シートに樹脂加工を施すか又は施さないで、また、ケイ藻土や木炭粉末等を施すか又は施さないで、厚手の和紙、板紙、不織布、発泡合成樹脂シートから構成されるシート体Ｆの両面又は片面にネットＮを貼り合わせて複合させたものでもよいし、また、ネットＮを用いないで、シート体Ｆ単体で用いても、もちろんよいものとする。また、シート体Ｆを用いないで、ネットＮ単体で用いてもよいものとする。
【００４０】
これらのなかで、シート体Ｆの両面又は片面にネットＮを貼り合わせて複合させたものが、結露水や濾水Ｋの蒸散効率、水抜き部材Ｍの取り付け施工性、長期耐久性にとっていっそう好適である。さらに、シート体Ｆに透湿性樹脂が施されていると、耐水性能が向上し、長持ちするので好適である。長期耐久性能を考慮すると、中でも、発泡性合成樹脂シートや不織布又はこれらの複合体がシート体Ｆとして、いっそう好適であるが、発泡性合成樹脂シート、不織布の代わりに、厚手の和紙、板紙等に透湿性樹脂を施してももちろんよいものとする。厚手の和紙、板紙、不織布、発泡性合成樹脂シートのうちから選択される１〜４種の材料を単独又は貼り合わせなどして複合させたものをシート体Ｆとして用いるとよい。
【００４１】
ネットＮとしては、例えば硬質又は半硬質のポリエチレン樹脂、塩ビ樹脂、ウレタン樹脂、ＡＢＳ樹脂、ビニロン樹脂等の合成樹脂成型体の他、アルミ、鉄、亜鉛、ステンレス等、金属製のものや、グラスネット等が挙げられる。中でも、コスト、入手し易さ、長期耐久性、施工性等を考慮すると、ポリエチレン樹脂製、塩ビ樹脂製のものが好適である。
【００４２】
図４に例示する、水抜き部材Ｍに用いられるネットＮは、網目状に形成されている。網目は本例に例示するようなひし形の網目以外に縦横方向のます目状の網目に形成してもよい。網目の間隔は、水抜き部材Ｍの、結露水や濾水蒸散効率、施工性、長期耐久性等を考慮すると、約３ｍｍ〜３０ｍｍ程度が好適である。しかし、これ以外であってももちろんよいものとする。図４の（ロ）に示されるように、側面で見て、ネットＮがシート体Ｆの両面に形成されていてもよいし、また、左右いずれか片面であってもよいものとする。しかし、本例で示すように、両面であった方が外壁パネル２の裏面又は水切り板金Ｂの裏面に用いた場合、施工時において、その厚みが押し潰されないので、結露水や濾水Ｋの排出機能にとって、いっそう好適である。
【００４３】
その他、ネットＮに替えて結露水や濾水Ｋを通す例えば溝のような通路を有する部材（又は粗めの梨地やローレット加工を有する部材）を用いてもよいものとする。また、固さのある粒状物を散在させ、その間を前記結露水や濾水Ｋを通す通路とした部材を用いてもよいものとする。前記粒状物としては、硬質の合成樹脂の他、石材、ガラス材、金属片等の無機質からなる粒状物で、大きさとして約１〜３ｍｍ程度の粒状物を用い、厚手の合成樹脂フィルムや厚手の板紙などに付着させた部材を用いてもよいものとする。
【００４４】
以上、図１ないし図４を参照しながら説明してきたように、外壁下部の外壁パネル２と土台７との間に水抜き部材Ｍが設けられ、また、その下方には水抜きスペースＣが確保されることから、壁体内部に溜まった結露水や濾水Ｋが水抜き部材Ｍを通して極めて簡単に外壁下方へ排出される。そのため、土台７等の腐朽を防ぎ、耐水性が従来よりも向上する。また、水抜き部材Ｍが薄いため、外壁パネル２と土台７等の構造材との接合強度が保持されるので、強度耐久性にとって好適である。しかも、水抜き部材Ｍが外壁パネル２下部と土台７との間に設けるだけのものであるので、施工が簡単で施工費用も極めて安価に済む。
【００４５】
その他、本発明は本発明の主旨を変えない範囲で種々変更実施可能なことは勿論である。
【図面の簡単な説明】
【００４６】
【図１】本発明の外壁構造の一実施の形態を示す正面図である。
【図２】図１におけるＡ−Ａ線断面図である。
【図３】図２のＡ部における要部拡大図である。
【図４】水抜き部材の詳細図であり、（イ）は平面図、（ロ）は側面図である。
【符号の説明】
【００４７】
１  外壁構造
２  外壁パネル
３  柱
４  間柱
５  胴差
６  胴縁
７  土台
８  防水透湿シート
９  基礎
Ｍ  水抜き部材
Ｃ  水抜きスペース
Ｆ  シート体
Ｎ  ネット
Ｂ  水切り板金
Ｐ  仕上げモルタル
Ｋ  結露水、濾水
Ｓ  基礎スペーサー
【図１】
2005282046.tif 000003
【図２】
2005282046.tif 000004
【図３】
2005282046.tif 000005
【図４】
2005282046.tif 000006